(57)【要約】【課題】サポート情報の表示をレポート出力する場合にフォント不足により空白となる文字を印刷できる画像形成装置及びレポート出力システムを提供する。【解決手段】メニューマップ画面５２０の「レポート」ポイントエリア５２１がポイントされると、レポート用フォントにない文字のフォントを表示操作パネル用フォントから取り出し、メニューマップのレポートデータを作成してメニューマップレポートプレビュー画面５３０を表示する。ユーザーが「切替」ポイントエリア５３１をポイントすると、レポート用フォントにない同じ文字の別のフォントを表示操作パネル用フォントから取り出し、メニューマップのレポートデータを再作成してメニューマップレポートプレビュー画面５３０に再表示する。「ＯＫ」ポイントエリア５３２がポイントされると、メニューマップレポートプレビュー画面５３０のレポートデータを印刷し、メニューマップレポート５４０を出力する。【選択図】図３
2016192174.tif 000002
【特許請求の範囲】
【請求項１】
レポート出力操作を受け付けると、表示用フォントを用いて表示部に表示されている各種情報を用紙に印刷したレポートを出力する画像形成装置であって、
印刷に使用する印刷用フォントを記憶する印刷用フォント記憶部と、
前記表示部に表示されている前記各種情報の文字コードと前記印刷用フォントとに基づいて、前記レポートの印刷に用いるレポートデータを作成するレポート作成部と、
前記レポート作成部が作成した前記レポートデータを印刷可能なイメージに変換して前記用紙に印刷するレポート出力部とを備え、
前記レポート作成部は、前記各種情報の前記文字コードに対応する前記印刷用フォントが前記印刷用フォント記憶部に記憶されていない場合には、前記表示用フォントを使用して前記レポートデータを作成することを特徴とする画像形成装置。
【請求項２】
前記レポート作成部は、前記各種情報の前記文字コードに対応する複数種類の前記表示用フォントがある場合に、複数種類の前記表示用フォントから選択されたフォントを前記文字コードのフォントとすることを特徴とする請求項１に記載の画像形成装置。
【請求項３】
前記レポートデータのプレビューを作成するレポートプレビュー作成部を備え、
前記レポートプレビュー作成部は、前記レポート出力部が前記レポートデータを用紙に印刷する前に、前記レポートデータのプレビューを作成して表示することを特徴とする請求項１または請求項２に記載の画像形成装置。
【請求項４】
前記レポートプレビュー作成部は、予め設定された拡大率に文字を拡大した前記レポートデータのプレビューを表示することを特徴とする請求項３に記載の画像形成装置。
【請求項５】
前記レポートプレビュー作成部は、前記表示用フォントの文字を前記印刷用フォントの文字と区別できるように表示することを特徴とする請求項３または請求項４に記載の画像形成装置。
【請求項６】
各種情報のレポート出力操作を受け付ける端末装置と前記各種情報を用紙に印刷したレポートを出力する画像形成装置とを有するレポート出力システムであって、
前記端末装置は、
表示に使用する表示用フォントを記憶する表示用フォント記憶部と、
前記表示用フォントを用いて各種情報を表示する表示部とを備え、
前記画像形成装置は、
印刷に使用する印刷用フォントを記憶する印刷用フォント記憶部と、
前記表示部に表示されている前記各種情報の文字コードと前記印刷用フォントとに基づいて、前記レポートの印刷に用いるレポートデータを作成するレポート作成部と、
前記レポート作成部が作成した前記レポートデータを印刷可能なイメージに変換して前記用紙に印刷するレポート出力部とを備え、
前記画像形成装置の前記レポート作成部は、前記各種情報の前記文字コードに対応する前記印刷用フォントが前記印刷用フォント記憶部に記憶されていない場合には、前記表示用フォント記憶部に記憶されているフォントを使用して前記レポートデータを作成することを特徴とするレポート出力システム。
【発明の詳細な説明】
【技術分野】
【０００１】
本発明は、各種情報を用紙に印刷したレポートを出力する画像形成装置、及びレポート出力システムに関する。
【背景技術】
【０００２】
プリンター、多機能プリンター、多機能周辺装置、又は複合機などのＭＦＰ（Ｍｕｌｔｉｆｕｎｃｔｉｏｎ  Ｐｅｒｉｐｈｅｒａｌ）である画像形成装置は、設定又は操作のガイド、並びに設定又は操作の履歴に関する情報（以下、「サポート情報」という）を液晶パネルなどの表示器に表示し、表示したサポート情報を用紙に印刷したレポートを出力することができる。しかし、表示用フォントを使用してレポートを出力すると、レポートの文字が太くなり、文字が読み難くなることがある。このため、表示用とレポート用のフォントを分け、表示用のフォントとレポート用のフォントが異なる場合では、表示器に表示した文字コードのフォントがレポート用のフォントに存在しないときに、その文字コードの文字が空白となりレポートに印刷されない。このようなフォント不足を防止する対策として、例えば、特許文献１のファクシミリ装置では、文字情報の作成に使用する文字フォントデータをファクシミリ装置の内部に記憶すると共に、内部に記憶している文字フォントデータと異なる文字フォントデータをファクシミリ装置の外部のＣＤ−ＲＯＭ装置に記憶する。そして、外部からも文字フォントデータの取り出しを可能にすることで、文字情報に応じて文字フォントの切替えを行い、空白のない全ての文字を印刷できるようにしている。
【先行技術文献】
【特許文献】
【０００３】
【特許文献１】特開平９−１８６１５号公報
【発明の概要】
【発明が解決しようとする課題】
【０００４】
特許文献１のファクシミリ装置では、内部に記憶している文字フォントデータと異なる文字フォントデータをＣＤ−ＲＯＭ装置などの外部装置に記憶し、またこの外部装置をファクシミリ装置と接続しなければならない。このため、外部記憶装置を購入し、この外部記憶装置に文字フォントデータを記憶させる作業を行う必要があるので、容易に行うことができないという問題があった。
【０００５】
本発明はこのような状況に鑑みてなされたものであり、上記課題を解決できる画像形成装置、及びレポート出力システムを提供することを目的とする。
【課題を解決するための手段】
【０００６】
本発明の画像形成装置は、レポート出力操作を受け付けると、表示用フォントを用いて表示部に表示されている各種情報を用紙に印刷したレポートを出力する画像形成装置であって、印刷に使用する印刷用フォントを記憶する印刷用フォント記憶部と、前記表示部に表示されている前記各種情報の文字コードと前記印刷用フォントとに基づいて、前記レポートの印刷に用いるレポートデータを作成するレポート作成部と、前記レポート作成部が作成した前記レポートデータを印刷可能なイメージに変換して前記用紙に印刷するレポート出力部とを備え、前記レポート作成部は、前記各種情報の前記文字コードに対応する前記印刷用フォントが前記印刷用フォント記憶部に記憶されていない場合には、前記表示用フォントを使用して前記レポートデータを作成することを特徴としている。
また、本発明の画像形成装置の前記レポート作成部は、前記各種情報の前記文字コードに対応する複数種類の前記表示用フォントがある場合に、複数種類の前記表示用フォントから選択されたフォントを前記文字コードのフォントとすることを特徴としている。
また、本発明の画像形成装置は、前記レポートデータのプレビューを作成するレポートプレビュー作成部を備え、前記レポートプレビュー作成部は、前記レポート出力部が前記レポートデータを用紙に印刷する前に、前記レポートデータのプレビューを作成して表示することを特徴としている。
また、本発明の画像形成装置の前記レポートプレビュー作成部は、予め設定された拡大率に文字を拡大した前記レポートデータのプレビューを表示することを特徴としている。
また、本発明の画像形成装置の前記レポートプレビュー作成部は、前記表示用フォントの文字を前記印刷用フォントの文字と区別できるように表示することを特徴としている。
本発明のレポート出力システムは、各種情報のレポート出力操作を受け付ける端末装置と前記各種情報を用紙に印刷したレポートを出力する画像形成装置とを有するレポート出力システムであって、前記端末装置は、表示に使用する表示用フォントを記憶する表示用フォント記憶部と、前記表示用フォントを用いて各種情報を表示する表示部とを備え、前記画像形成装置は、印刷に使用する印刷用フォントを記憶する印刷用フォント記憶部と、前記表示部に表示されている前記各種情報の文字コードと前記印刷用フォントとに基づいて、前記レポートの印刷に用いるレポートデータを作成するレポート作成部と、前記レポート作成部が作成した前記レポートデータを印刷可能なイメージに変換して前記用紙に印刷するレポート出力部とを備え、前記画像形成装置の前記レポート作成部は、前記各種情報の前記文字コードに対応する前記印刷用フォントが前記印刷用フォント記憶部に記憶されていない場合には、前記表示用フォント記憶部に記憶されているフォントを使用して前記レポートデータを作成することを特徴としている。
【発明の効果】
【０００７】
本発明の画像形成装置、及びレポート出力システムは、サポート情報の表示をレポートで出力する場合において、フォント不足により空白となる文字を容易に印刷することができる。
【図面の簡単な説明】
【０００８】
【図１】本発明の実施形態に係る画像形成装置の機能構成を示す図である。
【図２】本発明の実施形態に係るサポート情報のメニューマップの表示からレポート出力までの手順を示すフローチャートである。
【図３】本発明の実施形態に係るサポート情報一覧画面、メニューマップ画面、メニューマップレポートプレビュー画面及びメニューマップレポートの一例を示す図である。
【発明を実施するための形態】
【０００９】
以下、本発明を実施するための形態（以下、「実施形態」という）を、図面を参照して説明する。実施形態は、画像形成装置に対する設定又は操作のマップ形式のメニュー（以下、「メニューマップ」という）を表示器に表示し、表示されたメニューマップをレポート出力する。このようなメニューマップのレポート出力において、表示器の表示用のフォントとレポート出力のレポート用のフォントとが異なるときに、レポート出力が表示用のフォントを使用できるようにすることで、空白文字のないレポートを出力するものである。
【００１０】
実施形態における画像形成装置１００の機能構成について、図１を用いて説明する。図１に示す画像形成装置１００は、制御部１１０、補助記憶部１２０、記憶部１３０、表示操作パネル１４０、表示操作パネル処理部１５０、原稿読取部１６０、画像形成部１７０、印刷部１８０及びネットワーク通信部１９０を備えている。これらの各部は、バスなどにより接続される構成となっている。制御部１１０には、レポート作成処理部１１０ａ、レポートプレビュー作成処理部１１０ｂ及びレポート出力処理部１１０ｃが設けられている。補助記憶部１２０には、レポート用フォント記憶エリア１２０ａとレポート用補充フォント記憶エリア１２０ｂが設けられている。記憶部１３０には、画像データ記憶エリア１３０ａが設けられている。表示操作パネル処理部１５０には、表示操作パネル用フォント記憶エリア１５０ａが設けられている。
【００１１】
制御部１１０は、ＲＡＭやＲＯＭ等の主記憶手段、及びＭＰＵ(Micro Processing Unit)やＣＰＵ(Central Processing Unit)等の制御手段を備えている。また、制御部１１０は、各種Ｉ／Ｏ、ＵＳＢ（ユニバーサル・シリアル・バス）、バス、その他バードウェア等のインターフェイスに関連するコントローラ機能を備え、画像形成装置１００全体を制御する。
レポート作成処理部１１０ａは、表示操作パネル１４０に表示されるメニューマップを用紙に印刷するためのレポートデータを作成する。
レポートプレビュー作成処理部１１０ｂは、メニューマップのレポートデータからプレビューデータを作成する。
レポート出力処理部１１０ｃは、メニューマップのレポートデータを印刷可能なイメージのレポートデータに変換し、レポートデータを印刷部１８０により印刷することでレポートを出力する。
【００１２】
補助記憶部１２０は、フラッシュメモリー等からなる補助記憶装置で、制御部１１０が実行する処理のプログラムやデータを記憶する。
レポート用フォント記憶エリア１２０ａは、レポート出力処理部１１０ｃが印刷に使用する印刷用フォントを予め記憶している。
レポート用補充フォント記憶エリア１２０ｂは、表示操作パネル用フォント記憶エリア１５０ａから取り出したレポート出力処理部１１０ｃが使用する表示用フォントを記憶する。
【００１３】
記憶部１３０は、ハードディスクドライブからなる記憶装置で、制御部１１０が実行する処理のプログラムやデータを記憶する。
画像データ記憶エリア１３０ａは、原稿読取部１６０から読み取った原稿の画像データ、及びネットワーク通信部１９０が受信した画像データなどを記憶する。
【００１４】
表示操作パネル１４０は、液晶パネルなどの表示器であり、表示操作画面の表示と表示操作画面からユーザーの操作を受け付ける。
【００１５】
表示操作パネル処理部１５０は、表示操作画面を表示操作パネル１４０に表示し、またユーザーが表示操作画面から行う操作を表示操作パネル１４０から入力する。
表示操作パネル用フォント記憶エリア１５０ａは、表示操作パネル処理部１５０が表示に使用する表示用フォントを予め記憶している。なお、表示操作パネル用フォント記憶エリア１５０ａは、表示操作パネル処理部１５０が内部に保持している表示用フォントであり、表示操作パネル処理部１５０だけがアクセス可能である。
【００１６】
原稿読取部１６０は、画像形成装置１００の原稿台にセットされた原稿の読み取りを行うもので、ユーザーが表示操作パネル１４０から読み取り要求を行うことにより、原稿台にセットされた原稿の読み取りを行うことができる。
【００１７】
画像形成部１７０は、原稿読取部１６０で読み取られた原稿の画像データを印刷可能なイメージやＦＡＸやメールで送信可能なイメージの画像データに変換する。
【００１８】
印刷部１８０は、ユーザーから印刷要求のあった画像データや表示操作パネル１４０に表示されるメニューマップなどのレポートデータを用紙に印刷する。
【００１９】
ネットワーク通信部１９０は、ネットワーク４００に接続するための着脱可能なＬＡＮインターフェイスを備えている。画像形成装置１００は、ネットワーク４００に接続されているＰＣ２００や携帯端末３００などの装置とネットワーク通信部１９０により通信を行うことができる。
【００２０】
次に、サポート情報のメニューマップの表示からレポート出力までの手順について、図２と図３を用いて説明する。以下、図２に示すサポート情報のメニューマップの表示からレポート出力までの手順のフローチャートを用いてステップ順に説明する。
【００２１】
（ステップＳ１０１）
まず、ユーザーは、図３（１）に示すサポート情報一覧画面５１０を表示操作パネル１４０に表示し、サポート情報一覧画面５１０の「メニューマップ」ポイントエリア５１１をポイントする。
【００２２】
（ステップＳ１０２）
次いで、「メニューマップ」ポイントエリア５１１がポイントされると、表示操作パネル処理部１５０は、図３（２）に示すメニューマップ画面５２０を表示操作パネル１４０に表示する。
【００２３】
（ステップＳ１０３）
次いで、ユーザーは、メニューマップ画面５２０の「レポート」ポイントエリア５２１をポイントする。
【００２４】
（ステップＳ１０４）
次いで、「レポート」ポイントエリア５２１がポイントされると、表示操作パネル処理部１５０は、メニューマップ画面５２０に表示されているフォーマットのデータ（以下、「表示フォーマットデータ」という）をレポート作成処理部１１０ａに出力する。
【００２５】
（ステップＳ１０５）
次いで、レポート作成処理部１１０ａは、表示操作パネル処理部１５０からメニューマップ画面５２０の表示フォーマットデータを入力すると、この表示フォーマットデータに存在する全ての文字コードに対応するフォントがレポート用フォント記憶エリア１２０ａに記憶されているかを判断する。全ての文字コードに対応するフォントが記憶されているとき(ステップＳ１０５のＹｅｓ)は、ステップＳ１０６に進む。また、全ての文字コードに対応するフォントが記憶されていないとき(ステップＳ１０５のＮｏ)は、ステップＳ１０８に進む。
【００２６】
（ステップＳ１０６）
ステップＳ１０５のＹｅｓにおいて、レポート作成処理部１１０ａは、メニューマップ画面５２０の表示フォーマットデータに存在している文字コードに対応するフォントをレポート用フォント記憶エリア１２０ａから取り出し、メニューマップのレポートデータを作成すると、レポート出力処理部１１０ｃにメニューマップのレポートデータを出力する。
【００２７】
（ステップＳ１０７）
次いで、レポート出力処理部１１０ｃは、メニューマップのレポートデータを入力すると、印刷部１８０によりメニューマップのレポートデータを印刷し、図３（４）に示すメニューマップレポート５４０を出力する。
【００２８】
（ステップＳ１０８）
ステップＳ１０５のＮｏにおいて、レポート作成処理部１１０ａは、レポート用フォント記憶エリア１２０ａに記憶されていないフォントの文字コード（以下、「レポート用フォント無し文字コード」という）を表示操作パネル処理部１５０に出力する。例えば、メニューマップ画面５２０の「滾」のフォントがレポート用フォント記憶エリア１２０ａに記憶されていないときには、「滾」の文字コードがレポート用フォント無し文字コードになる。
【００２９】
（ステップＳ１０９）
次いで、表示操作パネル処理部１５０は、レポート作成処理部１１０ａからレポート用フォント無し文字コードを入力すると、表示操作パネル用フォント記憶エリア１５０ａからレポート用フォント無し文字コードに対応する複数の異なるフォントを取り出し、レポート作成処理部１１０ａに出力する。例えば、レポート用フォント無し文字コードの「滾」に対応するＨＧＳ創英角ポップ体、ＨＧＳ創英角ゴシップＵＢ及びＨＧＳゴシックＥなどの複数の異なる「滾」のフォントが取り出され、レポート作成処理部１１０ａに出力される。
【００３０】
（ステップＳ１１０）
次いで、レポート作成処理部１１０ａは、表示操作パネル処理部１５０からレポート用フォント無し文字コードに対応する複数の異なるフォントを入力すると、レポート用補充フォント記憶エリア１２０ｂに記憶する。なお、レポート用補充フォント記憶エリア１２０ｂに記憶される複数の異なるフォントの各々には、ユニークな昇順の番号が付加される。
【００３１】
（ステップＳ１１１）
次いで、レポート作成処理部１１０ａは、レポートプレビュー作成処理部１１０ｂにメニューマップ画面５２０の表示フォーマットデータを出力する。
【００３２】
（ステップＳ１１２）
次いで、レポートプレビュー作成処理部１１０ｂは、表示フォーマットデータを入力すると、表示フォーマットデータに存在している文字コードに対応するフォントをレポート用フォント記憶エリア１２０ａから取り出す。次に、レポートプレビュー作成処理部１１０ｂは、レポート用フォント記憶エリア１２０ａに記憶されていない文字コードのフォントについて、レポート用補充フォント記憶エリア１２０ｂから１番が付加されているフォントを取り出し、メニューマップのレポートデータを作成する。例えば、レポート用補充フォント記憶エリア１２０ｂに「滾」のＨＧＳ創英角ポップ体、ＨＧＳ創英角ゴシップＵＢ及びＨＧＳゴシックＥなどの複数の異なるフォントが記憶され、ＨＧＳ創英角ポップ体に１番、ＨＧＳ創英角ゴシップＵＢに２番、ＨＧＳゴシックＥに３番が付加されているときには、１番のＨＧＳ創英角ポップ体の「滾」のフォントが取り出される。
【００３３】
（ステップＳ１１３）
次いで、レポートプレビュー作成処理部１１０ｂは、メニューマップのレポートデータから図３（３）に示すメニューマップレポートプレビュー画面５３０のデータ（以下、「メニューマップレポートのプレビューデータ」という）を作成すると、メニューマップレポートのプレビューデータと、予め設定されている拡大率を格納した拡大表示要求通知とを表示操作パネル処理部１５０に出力する。
【００３４】
（ステップＳ１１４）
次いで、表示操作パネル処理部１５０は、メニューマップレポートのプレビューデータと拡大表示要求通知を入力すると、メニューマップレポートのプレビューデータの文字を拡大表示要求通知に格納されている拡大率で拡大し、拡大された文字のメニューマップレポートのプレビューデータから作成したメニューマップレポートプレビュー画面５３０を表示操作パネル１４０に表示する。なお、表示操作パネル用フォント記憶エリア１５０ａのフォントの文字については、メニューマップレポートプレビュー画面５３０において、線で囲む又は印を付けるなどを行うことにより、レポート用フォント記憶エリア１２０ａのフォントの文字と区別できるように表示される。
【００３５】
（ステップＳ１１５）
次いで、ユーザーは、メニューマップレポートプレビュー画面５３０の「切替」ポイントエリア５３１をポイントする。
【００３６】
（ステップＳ１１６）
次いで、「切替」ポイントエリア５３１がポイントされると、表示操作パネル処理部１５０は、フォント切替通知をレポートプレビュー作成処理部１１０ｂに出力する。
【００３７】
（ステップＳ１１７）
次いで、レポートプレビュー作成処理部１１０ｂは、フォント切替通知を入力すると、レポート用補充フォント記憶エリア１２０ｂから２番のフォントを取り出し、メニューマップレポートプレビュー画面５３０の１番のフォントを２番のフォントに入れ替えたメニューマップレポートのプレビューデータを再作成する。以降、「切替」ポイントエリア５３１がポイントされる度にフォントが順番に入れ替えられ、最後のフォントが表示されているときに「切替」ポイントエリア５３１がポイントされると、１番のフォントに入れ替えたメニューマップのレポートデータが再作成される。
【００３８】
（ステップＳ１１８）
次いで、レポートプレビュー作成処理部１１０ｂは、メニューマップのレポートデータからメニューマップレポートのプレビューデータを再作成すると、メニューマップレポートのプレビューデータと、予め設定されている拡大率を格納した拡大表示要求通知とを表示操作パネル処理部１５０に出力する。
【００３９】
（ステップＳ１１９）
次いで、表示操作パネル処理部１５０は、メニューマップレポートのプレビューデータと拡大表示要求通知を入力すると、メニューマップレポートのプレビューデータの文字を拡大表示要求通知に格納されている拡大率で拡大し、拡大された文字のメニューマップレポートのプレビューデータから再作成したメニューマップレポートプレビュー画面５３０を表示操作パネル１４０に再表示する。
【００４０】
（ステップＳ１２０）
次いで、ユーザーがメニューマップレポートプレビュー画面５３０の「ＯＫ」ポイントエリア５３２をポイントする。
【００４１】
（ステップＳ１２１）
次いで、「ＯＫ」ポイントエリア５３２がポイントされると、表示操作パネル処理部１５０は、レポートプレビュー作成処理部１１０ｂにＯＫ通知を出力する。
【００４２】
（ステップＳ１２２）
次いで、レポートプレビュー作成処理部１１０ｂは、ＯＫ通知を入力すると、再表示されたメニューマップレポートプレビュー画面５３０のメニューマップのレポートデータをレポート出力処理部１１０ｃに出力する。
【００４３】
（ステップＳ１２３）
次いで、レポート出力処理部１１０ｃは、メニューマップのレポートデータを入力すると、印刷部１８０によりメニューマップのレポートデータを印刷し、図３（４）に示すメニューマップレポート５４０を出力する。
【００４４】
以上により、画像形成装置１００は、メニューマップ画面５２０に表示されているメニューマップのレポートを出力するときに、文字コードのフォントがレポート用フォント記憶エリア１２０ａに記憶されていない場合には、表示操作パネル用フォント記憶エリア１５０ａから取り出されるフォントを使用することができる。このように、表示操作パネル用フォント記憶エリア１５０ａに記憶されているフォントを使用することで、レポートの他の文字より太い文字となることがある。しかし、メニューマップレポートプレビュー画面５３０の「切替」ポイントエリア５３１がポイントされる度に、文字のフォントを切り替えることで、ユーザーはより見栄えがよいフォントを選択することができる。また、メニューマップレポートプレビュー画面５３０には、拡大されたメニューマップのレポートのプレビューが表示されるので、ユーザーは「切替」ポイントエリア５３１をポイントしながら、見栄えがよいフォントを容易に選択することができる。
【００４５】
なお、実施形態においては、レポート作成処理部１１０ａがレポート用フォント無し文字コードを表示操作パネル処理部１５０に出力し、表示操作パネル処理部１５０から入力したレポート用フォント無し文字コードに対する複数の異なるフォントをレポート用補充フォント記憶エリア１２０ｂに記憶するようにしたが、これに限定されない。例えば、レポート作成処理部１１０ａが表示操作パネル用フォント記憶エリア１５０ａに記憶されている全ての表示操作パネル用フォントを表示操作パネル処理部１５０から入力し、補助記憶部１２０に設ける表示操作パネル用フォント一時記憶エリアに記憶することも可能である。このような場合では、レポート出力する度に表示操作パネル処理部１５０からレポート用フォント無し文字コードに対するフォントを入力する必要がなくなる。また、複数枚の異なるレポートを出力する場合においても、レポート用フォント記憶エリア１２０ａに記憶されていないフォントについては、表示操作パネル用フォント一時記憶エリアから容易に取り出すことができる。
【００４６】
また、実施形態においては、サポート情報一覧のメニューマップをリスト出力する実施例について説明したが、これに限定されない。サポート情報一覧の他の各種情報やその他様々な情報をリスト出力する場合に適用できる。
【００４７】
また、実施形態においては、メニューマップ画面５２０の「滾」の１文字のフォントがレポート用フォント記憶エリア１２０ａに記憶されていない例について説明したが、これに限定されない。例えば、複数の文字のフォントがレポート用フォント記憶エリア１２０ａに記憶されていない場合でも、同様に表示操作パネル用フォント記憶エリア１５０ａから取り出すことができる。
【００４８】
また、実施形態においては、画像形成装置１００の表示操作パネル１４０にサポート情報一覧画面５１０、メニューマップ画面５２０及びメニューマップレポートプレビュー画面５３０を表示するようにしたが、これに限定されない。例えば、画像形成装置１００とネットワーク４００で接続されるＰＣ２００又は携帯端末３００（端末装置）の表示部に、サポート情報一覧画面５１０、メニューマップ画面５２０及びメニューマップレポートプレビュー画面５３０を表示することも可能である。このような場合では、ネットワーク４００の通信プロトコルを用いて画像形成装置１００と、端末装置であるＰＣ２００又は携帯端末３００がデータの送受信を行うことで、ＰＣ２００又は携帯端末３００の表示部が記憶しているフォントを画像形成装置１００が使用できる。
【００４９】
このような本発明の画像形成装置、及びレポート出力システムによれば、サポート情報の表示をレポートで出力する場合において、フォント不足により空白となる文字を容易に印刷することができる。
【００５０】
以上、具体的な実施の形態により本発明を説明したが、上記実施の形態は本発明の例示であり、この実施の形態に限定されないことは言うまでもない。
【産業上の利用可能性】
【００５１】
本発明は、画像形成装置、及びレポート出力システムに好適であるが、画像形成装置、及びレポート出力システムに限られるものではなく、画面からレポート出力を行う装置及びシステム一般に適用できる。
【符号の説明】
【００５２】
１００・・・・・画像形成装置
１１０・・・・・制御部
１１０ａ・・・・レポート作成処理部
１１０ｂ・・・・レポートプレビュー作成処理部
１１０ｃ・・・・レポート出力処理部
１２０・・・・・補助記憶部
１２０ａ・・・・レポート用フォント記憶エリア
１２０ｂ・・・・レポート用補充フォント記憶エリア
１３０・・・・・記憶部
１３０ａ・・・・画像データ記憶エリア
１４０・・・・・表示操作パネル
１５０・・・・・表示操作パネル処理部
１５０ａ・・・・表示操作パネル用フォント記憶エリア
１６０・・・・・原稿読取部
１７０・・・・・画像形成部
１８０・・・・・印刷部
１９０・・・・・ネットワーク通信部
２００・・・・・ＰＣ
３００・・・・・携帯端末
４００・・・・・ネットワーク
５１０・・・・・サポート情報一覧画面
５１１・・・・・「メニューマップ」ポイントエリア
５２０・・・・・メニューマップ画面
５２１・・・・・「レポート」ポイントエリア
５３０・・・・・メニューマップレポートプレビュー画面
５３１・・・・・「切替」ポイントエリア
５３２・・・・・「ＯＫ」ポイントエリア
５４０・・・・・メニューマップレポート
【図１】
2016192174.tif 000003
【図２】
2016192174.tif 000004
【図３】
2016192174.tif 000005